(57)【特許請求の範囲】
【請求項１】
竿管の外周との間に空隙部を設けることのできる内周を有する筒状リールシートの前後端部内周と竿管外周との間に、テープ部材や空隙部に入ることのできる部分を有する保持部材を介在させるか、竿管外周に一体的に形成した肉盛り部や、筒状リールシートの端部における内方への突出部を相手側に当接させるかして前記空隙部を保持し、該空隙部の空気を抜く空気抜き部と前記筒状リールシートに接着剤を注入する口とを設け、該注入口から注入した接着剤を前記空隙部に充填して筒状リールシートを竿管外周に嵌合固定したことを特徴とする釣竿。
【発明の詳細な説明】
【０００１】
【発明の属する技術分野】
この発明は、釣竿の外周に筒状部材を嵌合固定した釣竿に関する。
【０００２】
【従来の技術】
従来、釣竿の外周にリ−ルシ−トなどの筒状部材を嵌合固定する時は、嵌合位置の釣竿の外周に接着剤を塗布して固定していた。
この固定方法では、釣竿の外周に筒状部材を嵌合する時に接着剤をしごいてしまうので、釣竿の外周と筒状部材の間に接着に十分な接着剤を残すことが出来ず、筒状部材に力が掛かると接着部分が剥離して筒状部材が移動して釣りが継続出来なくなる欠点があった。
【０００３】
【発明が解決しようとする課題】
解決しようとする問題点は、釣竿の外周に塗布した接着剤では量が少なく、筒状部材に力が掛かると接着部分が剥離して筒状部材が移動して釣りが継続出来なくなることである。
【０００４】
本発明の目的は前記欠点に鑑み、釣竿の外周と筒状部材の間に十分な量の接着剤が注入できて筒状部材に力が掛かっても移動しない釣竿を提供することである。
【０００５】
【課題を解決するための手段】
上記課題を解決するために、竿管の外周との間に空隙部を設けることのできる内周を有する筒状リールシートの前後端部内周と竿管外周との間に、テープ部材や空隙部に入ることのできる部分を有する保持部材を介在させるか、竿管外周に一体的に形成した肉盛り部や、筒状リールシートの端部における内方への突出部を相手側に当接させるかして前記空隙部を保持し、該空隙部の空気を抜く空気抜き部と前記筒状リールシートに接着剤を注入する口とを設け、該注入口から注入した接着剤を前記空隙部に充填して筒状リールシートを竿管外周に嵌合固定したことを要旨とするものである。
【０００７】
以下、本発明の実施形態例（以後、実施例と言う）を図面に基づき説明すると、図１から図９は第１実施例で、図１は釣竿の外周にリ−ルシ−トからなる筒状部材が固定された平面図、図２は釣竿の外周にリ−ルシ−トからなる筒状部材が固定された側面図、図３は釣竿の外周にリ−ルシ−トからなる筒状部材が固定された断面側面図、図４は図３の前側断面拡大側面図、図５は図３の後側断面拡大側面図、図６は爪受けの斜視図、図７は筒状部材に爪受け固定された平面図と一部拡大平面図、図８は釣竿の外周にリ−ルシ−トからなる筒状部材が固定されて移動フ−ドが装着された断面側面図と一部拡大断面側面図、図９は釣竿の外周にリ−ルシ−トからなる筒状部材が固定されて移動フ−ドが装着された平面図である。
【０００８】
釣竿の元竿１が繊維強化合成樹脂製竿管で形成されて元竿１の外周1aに繊維強化合成樹脂製のリ−ルシ−トからなる筒状部材２が嵌合固定されている。
元竿１及び筒状部材２はテ−プ状の長方形に裁断された図示しないプリプレグシ−トが図示しない芯金に適宜回数捲回された後、その外側にテ−ピングが施され、加熱炉の中に入れられて常法に従って熱硬化処理で一体に形成されている。  プリプレグシ−トは例えば炭素繊維やガラス繊維やアラミド繊維やアルミナ繊維やケプラ繊維及びその他の有機繊維、無機繊維などの高強度繊維を横方向に織り込んだシ−トにエポキシ樹脂、フェノ−ル樹脂、ポリエステル樹脂等の熱硬化性合成樹脂が含浸されて形成されている。
元竿１の後側適所には肉盛り部1bがプリプレグシ−トの巻回と熱硬化処理で一体に形成されている。
【０００９】
筒状部材２には肉盛り部1bの外周が嵌合可能な貫通孔2aが形成され、外周にリ−ル脚載置部2bと、リ−ル脚載置部2bの前側に固定フ−ド2cと、リ−ル脚載置部2bの軸線方向の両側に溝2dと、リ−ル脚載置部2bの後側に凹部2eと、凹部2eの前後に角孔2f、2gと、接着剤注入口2hが形成されている。
リ−ル脚載置部2bの後側に固定フ−ド2cと対向するように移動フ−ド３が溝2dに沿って移動自在に嵌合配置されている。
凹部2eには筒状部材２が元竿１の外周1aに嵌合されて接着剤10で固定された後、爪受け４が落し込まれ、爪受け４の前後の脚部4a、4bが角孔2f、2gに挿入されて固定される。
爪受け４の上面にはＶ字形の凹凸4cが形成されている。
【００１０】
筒状部材２が元竿１の外周1aに嵌合される時は、肉盛り部1bの外周に筒状部材２の後端側が嵌合され、筒状部材２の前端側の元竿１の外周1aに合成樹脂テ−プ11が適宜回数巻回されて筒状部材２が元竿１の外周1aに嵌合される。
筒状部材２が元竿１の外周1aに嵌合された後、接着剤注入口2hに注入アダプタ12を介してまたは直接接着剤注入筒13が取り付けられて筒状部材２の貫通孔2aと元竿１の外周1aの間隙で構成される空隙部αに接着剤10が注入されて固定される。
この時空隙部α内の空気は貫通孔2aと肉盛り部1b、または貫通孔2aと巻回された合成樹脂テ−プ11の嵌合隙間で形成される空気抜き部βから排出される。
空隙部α内に接着剤10が注入された後爪受け４が取り付けられて接着剤10で固定される。
【００１１】
筒状部材２が元竿１の外周1aに嵌合固定された後、移動フ−ド３が取り付けられ、移動フ−ド３は両側に側面山形の屈曲部3aが形成されて緊締レバ−５の両側突出部5aが屈曲部3aの内側に挿入され、緊締レバ−５のカバ−部5bは移動フ−ド３のリ−ル脚受入部3b側に対し起立・倒伏自在に設けられている。
両側の屈曲部3aの間の移動フ−ド３には板状の発条６が一端6aを移動フ−ド３の横孔に係止するように装填され、発条６の他端には係止爪6bが形成されて前記爪受け４のＶ字形の凹凸4cに係止可能に臨まされている。
発条６の中間部6cには緊締レバ−５の端部5cが押圧可能に臨まされている。
リ−ル脚載置部2bには図示しないリ−ルのリ−ル脚が装着され、固定フ−ド2cと移動フ−ド３にリ−ル脚が挿入される。
【００１２】
前記のように釣竿が構成されると、筒状部材２と元竿１の外周1aの空隙部α内に十分の量の接着剤10が注入出来て筒状部材２が元竿１の外周1aに確実に嵌合固定出来るから、筒状部材２が力を受けても移動することがなく、釣りが継続出来る。
【００１３】
図10は第２実施例で、図10は釣竿の外周にリ−ルシ−トからなる筒状部材が固定された断面側面図である。第２実施例では、元竿１の後側適所には肉盛り部1bが形成されるとともに肉盛り部1bに連続して筒状部材２の外周と同径の肉盛り部1cが形成されている。
他の構成、作用は前記第１実施例と略同一である。
肉盛り部1cによって筒状部材２を握った時段差による違和感がなくなる。
【００１４】
図11は第３実施例で、図11は釣竿の外周にリ−ルシ−トからなる筒状部材が固定された断面側面図である。第３実施例では、前記元竿１の外周1aに巻回された合成樹脂テ−プ11に代えて保持部材７が元竿１の外周1aに嵌合固定されている。
保持部材７には段部で筒状部材２の貫通孔2aが嵌合される小径部7aが形成されている。
他の構成、作用は前記第１実施例と略同一である。
【００１５】
図12は第４実施例で、図12は釣竿の外周にリ−ルシ−トからなる筒状部材が固定された断面側面図である。第４実施例では、筒状部材２の貫通孔2a内周前側に保持部2iが形成されて元竿１の外周1aに嵌合されている。
他の構成、作用は前記第１実施例と略同一である。
【００１６】
図13は第５実施例で、図13は釣竿の外周にリ−ルシ−トからなる筒状部材が固定された断面側面図である。第５実施例で、元竿１の外周1aの前後に合成樹脂テ−プ11が巻回されて筒状部材２が嵌合されている。
他の構成、作用は前記第１実施例と略同一である。
【００１７】
図14は第６実施例で、図14は釣竿の外周にリ−ルシ−トからなる筒状部材が固定された断面側面図である。第６実施例では、元竿１の外周1aの前後に保持部材７、７′が嵌合されている。元竿１の外周1aに筒状部材２が取り付けられる時は、後側の保持部材７が元竿１の外周1aに取り付けられた後、保持部材７の小径部7a外周に筒状部材２の貫通孔2aが嵌合され、その後前側の保持部材７′が元竿１の外周1aに取り付けられると共に保持部材７′の小径部7a外周に筒状部材２の貫通孔2aが嵌合される。
他の構成、作用は前記第１実施例と略同一である。
【００１８】
図15は第７実施例で、図15は釣竿の外周にリ−ルシ−トからなる筒状部材が固定された断面側面図である。第７実施例では、筒状部材２の外径と同径の保持部材８、８′が元竿１の外周1aの前後に嵌合されている。
空隙部α内に接着剤10が注入される時は、保持部材８、８′と筒状部材２の外周に保持リング14、14が嵌合されて接着剤10が注入される。
他の構成、作用は前記第１実施例と略同一である。
【００１９】
図16、図17は第８実施例で、図16は釣竿の外周にリ−ルシ−トからなる筒状部材が固定された一部断面側面図、図17は釣竿の外周にリ−ルシ−トからなる筒状部材が固定された拡大断面背面図である。第８実施例では、筒状部材２の内周の軸方向にリブ2jが数条形成されて筒状部材２が元竿１の外周1aに嵌合固定されている。
【００２０】
筒状部材２が元竿１の外周1aに嵌合固定される時は、筒状部材２の前後端と元竿１の外周1aに金型９が嵌合されて元竿１の外周1aと筒状部材２の内周との間の空隙部α内と金型９の凹部9a内に熱硬化性の樹脂等の充填着剤15が注入口2hから充填される。
金型９には、開口端の内径が筒状部材２の前後端の外径と略同径の凹部9aと、元竿１の外周1aと略同径の貫通孔9bが形成されている。
凹部9bよりも内方の面は曲面9cに形成されている。
金型９の凹部9c内に充填着剤15が充填されると保持部15a が形成される。
他の構成、作用は前記第１実施例と略同一である。
【００２１】
第８実施例では、筒状部材２と元竿１の外周1aの空隙部α内に充填材15を充填すると共に筒状部材２の前後端に充填材15で保持部15a が形成されたので確実に嵌合固定出来る。
充填材15の充填は金型９に２点鎖線の充填口9dを形成して実施してもよい。
【００２２】
図18は第９実施例で、図18は釣竿の外周にリ−ルシ−トからなる筒状部材が固定された断面側面図である。第９実施例では、元竿１の外周1aの前後に肉盛り部1b、1bが形成されて肉盛り部1b、1bの外周に筒状部材２が嵌合されている。
他の構成、作用は前記第１実施例と略同一である。
【００２３】
前記説明では、リ−ルシ−トからなる筒状部材２に移動フ−ド３を移動緊締するための溝2dや爪受け４を設けたが、筒状部材２に雄ネジを形成し、ナットで移動緊締してもよい。
【００２４】
【発明の効果】
筒状リールシートと釣竿の外周の空隙部内に十分の量の接着剤が注入出来て筒状リールシートが釣竿の外周に確実に嵌合固定出来るから、筒状リールシートが力を受けても移動することがなく、釣りが継続出来る。
【図面の簡単な説明】
【図１】  第１実施例で、釣竿の外周にリ−ルシ−トからなる筒状部材が固定された平面図である。
【図２】  同釣竿の外周にリ−ルシ−トからなる筒状部材が固定された側面図である。
【図３】  同釣竿の外周にリ−ルシ−トからなる筒状部材が固定された断面側面図である。
【図４】  同図３の前側断面拡大側面図である。
【図５】  同図３の後側断面拡大側面図である。
【図６】  同爪受けの斜視図である。
【図７】  同筒状部材に爪受け固定された平面図と一部拡大平面図である。
【図８】  同釣竿の外周にリ−ルシ−トからなる筒状部材が固定されて移動フ−ドが装着された断面側面図と一部拡大断面側面図である。
【図９】  同釣竿の外周にリ−ルシ−トからなる筒状部材が固定されて移動フ−ドが装着された平面図である。
【図10】  第２実施例で、釣竿の外周にリ−ルシ−トからなる筒状部材が固定された断面側面図である。
【図11】  第３実施例で、釣竿の外周にリ−ルシ−トからなる筒状部材が固定された断面側面図である。
【図12】  第４実施例で、釣竿の外周にリ−ルシ−トからなる筒状部材が固定された断面側面図である。
【図13】  第５実施例で、釣竿の外周にリ−ルシ−トからなる筒状部材が固定された断面側面図である。
【図14】  第６実施例で、釣竿の外周にリ−ルシ−トからなる筒状部材が固定された断面側面図である。
【図15】  第７実施例で、釣竿の外周にリ−ルシ−トからなる筒状部材が固定された断面側面図である。
【図16】  第８実施例で、釣竿の外周にリ−ルシ−トからなる筒状部材が固定された一部断面側面図である。
【図17】  同釣竿の外周にリ−ルシ−トからなる筒状部材が固定された拡大断面背面図である。
【図18】  第９実施例で、釣竿の外周にリ−ルシ−トからなる筒状部材が固定された断面側面図である。
【符号の説明】
１  釣竿（元竿）
２、２′、２″  筒状部材
2h、2m、2s  接着剤注入口
10  接着剤
α  空隙部
β  空気抜き部
【図１】
0003654557.tif 000002
【図２】
0003654557.tif 000003
【図７】
0003654557.tif 000004
【図３】
0003654557.tif 000005
【図４】
0003654557.tif 000006
【図５】
0003654557.tif 000007
【図６】
0003654557.tif 000008
【図８】
0003654557.tif 000009
【図９】
0003654557.tif 000010
【図１０】
0003654557.tif 000011
【図１１】
0003654557.tif 000012
【図１２】
0003654557.tif 000013
【図１３】
0003654557.tif 000014
【図１４】
0003654557.tif 000015
【図１５】
0003654557.tif 000016
【図１６】
0003654557.tif 000017
【図１７】
0003654557.tif 000018
【図１８】
0003654557.tif 000019